(57)【特許請求の範囲】
【請求項１】
躯体に対して方立を取付けたならば、これら方立間に無目を取付けて開口枠を形成し、各開口枠にカーテンウォールパネルを取り付ける手順によって構築されるとともに、前記無目が方立に固定された無目取付け用ブラケットを介して連結されたカーテンウォール構造において、
前記方立は、室外がわ面の両側縁部に部材長手方向に沿って突片を備え、無目連結部位において前記突片に所定長さ区間に亘って切欠き部を形成するとともに、室内外方向に対して直交する方向に連結ボルト孔を形成しておき、
無目連結部位に取り付けられる前記無目取付け用ブラケットは、その室外がわ面の側縁部に位置決め兼用の回転防止用係合突部が形成され、この位置決め兼用の回転防止用係合突部を前記方立の切欠き部に係合させた状態で前記連結ボルト孔を貫く連結ボルトによって固定されていることを特徴とするカーテンウォール構造。
【請求項２】
前記無目は中空内部の背面側に部材長手方向に沿ってリップ状溝が形成されているとともに、背面側端部位置に外部より前記リップ状溝に連通する、相対的に高さ寸法の大きいボルト頭部嵌入孔とこれに連続する相対的に高さ寸法の小さいボルト頭部保持孔とが形成され、
無目取付け用ボルトの頭部を前記ボルト頭部嵌入孔より嵌入させ、前記ボルト頭部保持孔側にスライドさせて前記頭部を抜脱不能とし、室内側に突出する無目取付け用ボルトの軸部を前記無目取付け用ブラケットに締結している請求項１記載のカーテンウォール構造。
【請求項３】
前記無目取付け用ブラケットの室外がわ面に荷重支持用突部が形成され、無目との連結状態において前記荷重支持用突部が前記ボルト頭部嵌入孔に嵌入し、無目からの荷重を前記無目取付け用ボルトと共に分担支持させている請求項２記載のカーテンウォール構造。
【請求項４】
前記方立と無目との連結部位において、前記無目取付け用ブラケットを囲繞するコーナーカバーを取り付けた請求項１〜３いずれかに記載のカーテンウォール構造。
【発明の詳細な説明】
【０００１】
【発明の属する技術分野】
本発明は、前記方立と無目との連結作業を省力化かつ効率化したノックダウン方式のカーテンウォール構造に関する。
【０００２】
【従来の技術】
従来より、カーテンウォール工法によって建物の外壁を構築する場合、予め四周を枠材によって枠組みしたカーテンウォールユニットを順に取付ける、所謂ユニット方式と、施工場所において躯体に方立を取り付けたならば、これら方立間に無目を取り付けて開口枠を形成し、各開口にカーテンウォールパネルを取り付ける手順による、所謂ノックダウン方式とが行われている。
【０００３】
【発明が解決しようとする課題】
前者のユニット方式は、予め方立および無目を組み立てた枠状のパネルユニットを取付けるものであるため、施工は効率的であるけれども、各ユニット間の取り合いおよび止水構造等が複雑になるなどのデメリットがある一方、後者のノックダウン方式は、構造は簡略化されるが、現場で方立と無目との連結作業を行わなければならず、かかる連結構造に手間と時間が掛かるため作業が省力化かつ効率化されないなどの問題があった。
【０００４】
他方、近年は意匠性、開放性および採光性などから方立や無目を室内側に露出させる構造も徐々に採用されるようになっているが、従来の方立・無目の連結構造の場合には意匠的に見栄えが悪いなどの問題があった。すなわち、前記方立と無目との連結構造としては、無目の背面側に連結用のボルト頭部を嵌合させるリップ状溝を形成しておき、このリップ状溝にボルト頭部を嵌合させた連結ボルトを方立側ブラケットに固定する構造が主に採用されているが、無目が押出し成型される型材であることから部材長手方向に沿って室内側に突出する前記リップ状溝が形成されることになり、見栄えが悪いものとなっている。この場合、前記リップ状溝を目隠しするために部材長手方向に沿って化粧カバーを取付けることも行われているが、かかる化粧カバーの製作費用および取付け手間が別途掛かることになる。
【０００５】
そこで本発明の主たる課題は、ノックダウン方式のカーテンウォール構造において、方立と無目との連結作業を省力化かつ効率化するとともに、無目の室内がわ面を平滑面とすることができ、室内側に露出させても意匠性を損なわないカーテンウォール構造を提供することにある。
【０００６】
【課題を解決するための手段】
前記課題を解決するための本発明は、躯体に対して方立を取付けたならば、これら方立間に無目を取付けて開口枠を形成し、各開口枠にカーテンウォールパネルを取り付ける手順によって構築されるとともに、前記無目が方立に固定された無目取付け用ブラケットを介して連結されたカーテンウォール構造において、
前記方立は、室外がわ面の両側縁部に部材長手方向に沿って突片を備え、無目連結部位において前記突片に所定長さ区間に亘って切欠き部を形成するとともに、室内外方向に対して直交する方向に連結ボルト孔を形成しておき、
無目連結部位に取り付けられる前記無目取付け用ブラケットは、その室外がわ面の側縁部に位置決め兼用の回転防止用係合突部が形成され、この位置決め兼用の回転防止用係合突部を前記方立の切欠き部に係合させた状態で前記連結ボルト孔を貫く連結ボルトによって固定されていることを特徴とするものである。
【０００７】
本発明においては、無目取付け用ブラケットに形成された前記回転防止用係合突部を前記方立の切欠き部に係合させながら位置決めすることで、所定位置に対し傾斜させること無く鉛直にきっちりと位置決めできるようになる。また、無目から荷重を受けても前記回転防止用係合突部が鉛直面に沿って係合していることにより無目取付け用ブラケットは連結ボルトを中心として回転変位することはなく、単に１本の連結ボルトによって固定すれば足りるようになる。したがって、無目取付け用ブラケットの取付けを少なくとも２本以上の連結ボルトを用いて行っていた従来法と比べると大幅な省力化および効率化が図れるようになる。
【０００８】
また、前記無目は中空内部の背面側に部材長手方向に沿ってリップ状溝が形成されているとともに、背面側端部位置に外部より前記リップ状溝に連通する、相対的に高さ寸法の大きいボルト頭部嵌入孔とこれに連続する相対的に高さ寸法の小さいボルト頭部保持孔とが形成され、
無目取付け用ボルトの頭部を前記ボルト頭部嵌入孔より嵌入させ、前記ボルト頭部保持孔側にスライドさせて前記頭部を抜脱不能とし、室内側に突出する無目取付け用ボルトの軸部を前記無目取付け用ブラケットに締結している構造とすることにより、無目の室内側背面に見栄えの悪いリップ条溝を形成せずに済むようになり、室内側に露出させても意匠性を損なわないようになる。この場合には、前記方立と無目との連結部位において、前記無目取付け用ブラケットを囲繞するだけの小さいなコーナーカバーを取り付けるだけで足りるようになる。
【０００９】
さらに、前記無目取付け用ブラケットの室外がわ面に荷重支持用突部が形成され、無目との連結状態において前記荷重支持用突部が前記ボルト頭部嵌入孔に嵌入し、無目からの荷重を前記無目取付け用ボルトと共に分担支持させた構造とすることにより、１本の無目取付け用ボルトで確実に無目を荷重支持できるようになる。
【００１０】
【発明の実施の形態】
以下、本発明の実施の形態について図面を参照しながら詳述する。
図１はカーテンウォール１Ａの建物躯体を含む全体縦断面図、図２はカーテンウォール１Ａの要部斜視図、図３はその縦断面図である。
【００１１】
本カーテンウォール１Ａは、建物躯体（床Ｆ）の端部に固定された方立支持金具８によって、水平方向に所定の間隔をおいて上下方向に沿って方立２、２…を固定した後、この方立２，２間に上下方向に所定間隔で無目３，３…を架け渡すとともに、前記方立２の室外がわ面に縦枠３６を取り付けて開口枠を構成し、さらに図４に示されるように、前記縦枠３６の室外がわ面に側枠４０を取り付けた後、無目３，３の嵌合溝にガラスＧを嵌め込み、ガラス側縁を前記側枠４０に取り付けた押縁４２，４３によって固定した構造のカーテンウォールである。その後、ガラスＧ、Ｇの縦ジョイント間には、縦目地用カバー材４４を取り付けることによって相対的に縦ラインが強調されるようになっている。
【００１２】
以下、具体的に施工手順に従いながら各部の構造について詳述すると、
前記方立２は、図４等に示されるように、内空に隔壁を備え２つの中空室を有する断面略方形状の型材で、室外がわ面には幅方向中央に２条の突片によって中央リップ状溝２ａが形成されるとともに、この中央リップ状溝２ａの両側にそれぞれ２条の突片によって側部リップ状溝２ｂ、２ｃが形成されている。前記中央リップ溝２ａは縦枠３６を固定するための縦枠ボルト３７の頭部３７ａを嵌合させるための溝であり、側部リップ状溝２ｂ、２ｃはタイトゴム１１，１１を嵌合支持するための溝である。さらに、前記室外がわ面の両側縁部には、部材長手方向に沿って縦枠３６に係合する突片２ｄ、２ｅが形成されている。
【００１３】
前記方立２は、床Ｆの端部に固定される方立支持金具８によって支持されている。具体的には、図５および図６に示されるように、躯体Ｆの端部にアンカー金具１２が埋設固定されるとともに、このアンカー金具１２に頭部が嵌合支持され、かつネジ部を外部に突出させて設けられた固定用ボルト１４およびナット１４Ｂによってファスナー１３を固定し、一方前記方立２の上部側に取付け金具１８をボルト１９，１９によって固定し、この取付け金具１８とファスナー１３との間にライナー金具１６を介在させた状態で固定用ボルト１５およびナット１５Ｂによって締結している。なお、前記取付け金具１８の上部には雌ネジ筒１８ａが一体的に支持され、かつこの雌ネジ筒１８ａに螺入された上下方向調整ボルト１７の先端が前記ライナー金具１６より延在する上部フランジ片１６ａの水平面に当接することにより据え付け時に方立２の鉛直方向の建て付けが調整されるようになっている。
【００１４】
前記カーテンウォール支持部は、各フロア毎に設けられ、相対的に下段側の方立２頭部に下半部が嵌合され、ボルト１９、２２によって固定された接合用部材２０、２１の上部が上段側方立２の中空部に挿入されることによって方立２の連続性が確保されるようになっている。また、図７に詳細に示されるように、方立２，２のジョイント間隙の室外がわ部分には、構造的に外部と等圧とされる前記リップ状溝２ａ〜２ｃ形成部から室内側への気流を遮断する目的で気密ゴム２４が設けられている。
【００１５】
方立２の固定が完了したならば、方立２間に上下方向に所定の間隔で無目３、３…が架け渡される。これら無目３の連結には、図８に示されるように、方立２に固定される無目取付け用ブラケット２５，２６（以下、無目ブラケットという。）が用いられる。この無目ブラケット２５は、断面Ｌ字状のピース状部材で、無目側当接面には、無目荷重を分担支持する矩形状の荷重支持用突部２５ａ（以下、単に自重受け突部という。）が形成されるとともに、無目ボルト挿通孔２５ｂが形成され、かつ屈曲する稜線部に沿って該無目ブラケット２５の回転変位を防止する回転防止用係合凸部２５ｄ（以下、単に係合凸部という。）が形成されている。また、方立側当接面には方立ボルト挿通孔２５ｃが形成されている。さらに、各辺の端部にはカバー材３４の取付けのために縦方向に沿ってビスポケット２５ｅ、２５ｆが形成されている。なお、無目ボルト挿通孔２５ｂは孔ではなく、側方に開口する横Ｕ字状の切欠き溝とすることでもよい。一方の無目ブラケット２６は前記無目ブラケット２５と同じものを対称配置で使用するものであり、対応する符号を付けて説明は省略する。
【００１６】
一方、方立２側には、前記無目ブラケット２５，２６の取付けのために、無目連結箇所に連結ボルト孔２ｆを形成するとともに、方立２の室外がわ縁部に長手方向に沿って形成した突片２ｄ、２ｅに対し、無目ブラケット２５，２６の高さ寸法に合わせた切欠き２ｇ、２ｈを形成しておく。この切欠き２ｇ、２ｈは、無目ブラケット２５，２６の位置決めを兼ねるとともに、無目３の重量を支持し、かつ取付け状態で前記無目ブラケット２５，２６の回転変位を防止するためのものである。
【００１７】
前記無目ブラケット２５，２６は、図９に示されるように、無目ブラケット２５，２６の係合凸部２５ｄ、２６ｄをそれぞれ方立２の切欠き２ｇ、２ｈに係合させながら位置決めした後、無目ボルト挿通孔２５ｃ、２６ｃおよび連結ボルト孔２ｆを共に貫く１本の方立ボルト２７を挿通し、ワッシャ２８およびナット２９をボルト先端部に螺合させて締結される。このような無目ブラケット２５，２６の取付け構造を採用することにより、作業が省力化されるようになる。すなわち、無目ブラケット２５，２６は、係合凸条２５ｄ、２６ｄをそれぞれ方立２の切欠き２ｇ、２ｈに係合させながら配置することで所定位置に対し傾斜すること無く鉛直にきっちりと位置決めできるようになるとともに、無目３からの荷重を受けても前記係合凸条２５ｄ、２６ｄが係合していることによって無目ブラケット２５，２６は方立ボルト２７を中心として回転変位することはなく、単に１本の方立ボルト２７によって固定すれば足りるようになる。無目ブラケットの取付けは少なくとも２本以上のボルトを用いて固定を行っていた従来法と比べると大幅な省力化および効率化が図れるようになる。
【００１８】
無目ブラケット２５，２６の固定を終えたならば、図１０に示されるように、無目３の取付けを行う。無目３には、中空内部の背面側にリップ状溝３ａが形成されており、無目３の端部側背面には前記リップ状溝３ａに連通する開口、すなわち相対的に高さ寸法の大きいボルト頭部嵌入孔３ｂと、これに連続する相対的に高さ寸法の小さいボルト頭部保持孔３ｃとが形成されている。同図に示されるように、無目ボルト３０の頭部３０ａを前記ボルト頭部嵌入孔３ｂより嵌入し、そのまま水平方向にスライドさせてボルト頭部保持孔３ｃに位置決めする。そして、無目ボルト３０のネジ部３０ｂを無目ブラケット２５，２６の無目ボルト挿通孔２５ｂ、２６ｂに挿入し、その背面側にてワッシャー３１およびナット３２により締結する。この際、無目ブラケット２５，２６の自重受け突部２５ａは、無目３のボルト頭部嵌入孔３ｂに嵌入されるとともに、その高さ方向寸法が整合しており、無目３からの荷重は前記無目ボルト３０のみならず、前記自重受け突部２５ａからも伝達されるようになっている。なお、前記無目ブラケット２５，２６は、予め方立２に対して取付けを行った上で現場に搬入すると、より省力化および効率化が図れるようになる。
【００１９】
次に、図１１および図１２に示されるように、コーナーカバー３３，３４を取り付けて無目３の取付け作業を完了する。前記コーナーカバー３３は、略方形状の前面板３３ａの上縁部および下縁部より延在する略三角形状の上下フランジ板３３ｂ、３３ｃを備える断面コ字状の部材で、上フランジ面には無目ブラケット２６に対する固定のためのビス孔３３ｄ、３３ｅが形成されている。なお、コーナーカバー３４については対応する符号を付けて説明は省略する。前記コーナーカバー３３，３４を無目ブラケット２５，２６を囲繞するようにコーナー部に位置決めしたならば、前記ビス孔３３ｄ、３３ｅ…より挿入したビス（図示せず）を無目ブラケット２５、２６のビスポケット２６ｅ、２６ｆに螺入させて固定を行う。
【００２０】
前記無目３は、図３に示されるように、窓の上側無目３１と下側無目３２とで断面形状が若干異なっているが、構造的には全く同じものである。すなわち、相対的に室内側に上下２段に方形中空部を有するとともに、これら方形中空部の一方側に無目ボルト３０の頭部３０ａを嵌合させるリップ状溝３ａが形成され、室外側に上側ガラスＧの嵌合溝３ｄが形成されるとともに、下側ガラスＧの嵌合溝３ｅが形成されている。ガラスＧは、ガラス面を跨いで嵌合溝３ｄ、３ｅの室外側および室内側に夫々配設されたガラス支持材３５，３５によって挟み付けられるようにして固定される。
【００２１】
無目３，３…の取付けが完了したならば、図１３に示されるように、方立の室外がわ面に縦枠３６（３６Ａ〜３６Ｃ）を取り付ける。方立２の１単位長は丁度、階高相当長さとされ、上下部にそれぞれ上側無目３１と下側無目３２とが連結され、これら上下の無目３１，３２間の窓部となる部分には、縦枠３６Ｂが取り付けられ、一方床Ｆを跨ぐ部分に腰壁７０が設けられる上下部位には縦枠３６Ａ、３６Ｃが夫々取り付けられる。これら縦枠３６Ｂと縦枠３６Ａ、３６Ｃとでは若干断面形状が異なっているが、室外がわ面の両側に夫々、ガラス支持部３６ａ、３６ｂを備える点は共通している。取付けは、方立２の室外がわ面に形成されたリップ状溝２ａ内に縦枠ボルト３７の頭部３７ａを嵌合し、ネジを外部に突出させた状態としておき、これに縦枠３６に形成されたボルト孔を貫通させ、ワッシャおよびナット３８によって締結する。なお、無目３，３の間隙部分には水はけ３９が嵌設される。
【００２２】
また、前記縦枠３６の取付けに引き続いて、側枠４０（４０Ａ〜４０Ｃ）を前記縦枠３６の室外がわ面に取り付ける。この側枠４０は、図４に示されるように、断面略Ｈ形状を成し、室内側片を縦枠３６の室外がわ面に当接し、ビス４１，４１によって固定される。丁度、ガラスＧ、Ｇの境界中央部に位置し、ガラスＧ側に臨む面にそれぞれ押縁嵌合溝４０ａ、４０ｂを備えている。図１４は前記側枠４０の取付け完了状態を示す図である。
【００２３】
この段階でガラスＧを嵌め込むための嵌合溝が完成されることになるため、図１５に示されるように、前記無目３，３…と、縦枠３６、側枠４０とによって囲まれる開口部にガラスＧを所謂ケンドン方式によって嵌め込み、ガラスＧの両側縁を押さえ付けるために、押縁４２（４２Ａ〜４２Ｃ）、４３（４３Ａ〜４３Ｃ）を取り付ける。一方の押縁４２の室外がわ面には断面Ｌ字状の屈曲片４２ａが形成され、他方の押縁４３の室外がわ面にも前記屈曲片４２ａと開口方向を同じとするＬ字状屈曲片４３ａが形成されている。これら屈曲片４２ａ、４３ａは縦目地用カバー材４４の取付けのために使用される。
【００２４】
以上の要領によってガラスＧの取付け作業を完了したならば、縦ラインを強調するための縦目地用カバー材４４（４４Ａ、４４Ｂ）を縦目地部に固定する。前記縦目地用カバー材４４は、図４に示されるように、カバー本体４４ａの一方がわ側縁部に前記押縁４２の屈曲片４２ａに対して係合する屈曲片４４ｂを備えるとともに、カバー本体４４ａの裏面中間部に前記押縁４３のＬ字状屈曲片４３ａに対して係合する屈曲片４４ｃを備え、かつ裏面略中央位置に取付け支持用脚片４４ｄを備えている。この取付け支持用脚片４４ｄには、図１６に示されるように、所定箇所に凹状の切欠き４４ｅが形成されるとともに、この凹状切欠き４４ｅの上部側にスリット状切欠き４４ｆが連続して形成されている。他方、この縦目地用カバー材４４の取付けに先立って、前記側枠４０の凹部内であって前記取付け支持用脚片４４ｄ対応位置には、図１７に示されるように、ビス等によって係止片４５，４５…が固定される。
【００２５】
前記縦目地用カバー材４４の取付けに当たっては、前記取付け支持用脚片４４ｄを前記係止片４５，４５…に係止させた後、縦目地用カバー材４４を水平方向にスライドさせることにより、屈曲片４４ｂを押縁４２の屈曲片４２ａに係合させるとともに、屈曲片４４ｃを押縁４３の屈曲片４３ａに係合させ、最後に前記屈曲片４４ｂと屈曲片４２ａとを共に貫くビス４６を螺入させることにより堅固に固定する。
【００２６】
【発明の効果】
以上詳説のとおり本発明によれば、ノックダウン方式のカーテンウォール構造において、方立と無目との連結作業が省力化かつ効率化されるようになるとともに、無目の室内がわ面を平滑面とすることができ室内側に露出させても意匠性を損なわないものとなる。
【図面の簡単な説明】
【図１】カーテンウォール１Ａの建物躯体を含む全体縦断面図である。
【図２】カーテンウォール１Ａの正面側から視た要部斜視図である。
【図３】その縦断面図である。
【図４】縦目地部の横断面図である。
【図５】方立支持部の要部拡大側面図である。
【図６】方立支持部の要部拡大平面（図５のVII−VII線矢視）である。
【図７】方立ジョイント部の斜視図である。
【図８】方立２に対する無目３の取付け手順図（その１）である。
【図９】方立２に対する無目３の取付け手順図（その２）である。
【図１０】方立２に対する無目３の取付け手順図（その３）である。
【図１１】無目ブラケット２５，２６部へのカバー材取付要領を示す図である。
【図１２】無目３の取付け完了状態を示す図である。
【図１３】方立２に対する縦枠３６および側枠４０の取付け要領を示す図である。
【図１４】縦枠３６および側枠４０の取付け完了状態を示す図である。
【図１５】押縁４２，４３の取付け要領図である。
【図１６】縦目地用カバー材４４の取付け要領図である。
【図１７】その縦目地部縦断面図である。
【符号の説明】
１Ａ…カーテンウォール、２…方立、３…無目、８…方立支持金具、２５・２６…無目ブラケット、３６…縦枠、４０…側枠、４２・４３…押縁、４４…縦目地用カバー材
【図１】
0003894356.tif 000002
【図２】
0003894356.tif 000003
【図３】
0003894356.tif 000004
【図４】
0003894356.tif 000005
【図５】
0003894356.tif 000006
【図６】
0003894356.tif 000007
【図７】
0003894356.tif 000008
【図８】
0003894356.tif 000009
【図９】
0003894356.tif 000010
【図１０】
0003894356.tif 000011
【図１１】
0003894356.tif 000012
【図１２】
0003894356.tif 000013
【図１３】
0003894356.tif 000014
【図１４】
0003894356.tif 000015
【図１５】
0003894356.tif 000016
【図１６】
0003894356.tif 000017
【図１７】
0003894356.tif 000018